(57)【要約】      （修正有）【課題】祝儀や不祝儀の際に送り主が直接現金を包む代わりに、クレジットカードなどの電子決済で祝儀や不祝儀の支払いを行うための祝儀又は不祝儀袋を提供する。【解決手段】祝儀又は不祝儀の送り主の名称を仲介者が記入するための第１領域１１が設けられた外袋１０Ａと、送り主によって指定された金額に基づく電子決済が送り主と仲介者との間で行われた後に、金額を仲介者が記入するための第２領域１２が設けられた中包み１０Ｂと、を備える。【選択図】図１
0003196818.tif 000002
【実用新案登録請求の範囲】
【請求項１】
祝儀又は不祝儀の送り主の名称を表示するための第１領域と、
前記送り主によって指定された金額を表示するための第２領域と、を備え、
前記第１領域に表示された名称又は前記第２領域に表示された金額の少なくともいずれかに基づく電子決済が前記送り主と仲介者との間で行われることを特徴とする祝儀又は不祝儀袋。
【請求項２】
前記送り主は、前記仲介者が提供するウェブサイト上で、前記第１領域に表示される名称及び／又は前記第２領域に表示される金額を入力することを特徴とする請求項１記載の祝儀又は不祝儀袋。
【請求項３】
前記電子決済は、クレジットカード、デビットカード、電子マネー、銀行振込の少なくともいずれかを含むことを特徴とする請求項１又は２記載の祝儀又は不祝儀袋。
【請求項４】
前記第２領域に表示された金額の現金が、前記仲介者によって前記祝儀又は不祝儀袋に入れられることを特徴とする請求項１乃至３のいずれか１項に記載の祝儀又は不祝儀袋。
【考案の詳細な説明】
【技術分野】
【０００１】
本考案はご祝儀袋や香典袋などの祝儀又は不祝儀袋に関する。
【背景技術】
【０００２】
従来、結婚式の参列者は、式当日にご祝儀袋にご祝儀の現金を包んで持参している。また、お通夜や葬儀などの弔問者は、通夜や葬儀の当日に香典袋に現金を包んで持参している。
【考案の概要】
【考案が解決しようとする課題】
【０００３】
しかしながら、従来、喪主や施主は、式当日にご祝儀や香典の受け取りを行わないといけないため、式当日に多額の現金を扱わなければならず、防犯等の面で問題が指摘されている。また、送り主（参列者）は、祝儀袋や不祝儀袋と現金の用意が必要となり、準備が大変である。特に、遠方や仕事などで式場へ行けない場合は、知人や他の参列者へ預けるか、現金書留で送るなどすることになるため、手配等の手間がかかり不便である。
【０００４】
本考案は、斯かる実情に鑑み、祝儀や不祝儀の際に送り主が直接現金を包む代わりに、クレジットカードやデビットカードなどの電子決済で祝儀や不祝儀の支払いを行うための祝儀又は不祝儀袋を提供しようとするものである。
【課題を解決するための手段】
【０００５】
本考案は、祝儀又は不祝儀の送り主の名称を表示するための第１領域と、送り主によって指定された金額を表示するための第２領域とを備える、祝儀又は不祝儀袋である。ここで、第１領域に表示された名称又は第２領域に表示された金額の少なくともいずれかに基づく電子決済が送り主と仲介者との間で行われることを特徴とする。
【０００６】
好適には、送り主は、仲介者が提供するウェブサイト上で、第１領域に表示される名称及び／又は第２領域に表示される金額を入力することができる。また、好適には、電子決済は、クレジットカード、デビットカード、電子マネー、銀行振込の少なくともいずれかを含む。さらに、第２領域に表示された金額の現金が、仲介者によって祝儀又は不祝儀袋に入れられてもよい。
【考案の効果】
【０００７】
本考案によれば、祝儀や不祝儀の際に送り主が直接現金を包む代わりに、クレジットカードやデビットカードなどの電子決済で祝儀や不祝儀の支払いを行うための祝儀又は不祝儀袋が提供される。
【図面の簡単な説明】
【０００８】
【図１】本考案の一実施形態に係る祝儀又は不祝儀袋の概略図である。
【図２】本実施形態に係る祝儀又は不祝儀袋を用いた処理の流れを示すフロー図である。
【考案を実施するための形態】
【０００９】
以下、本考案の実施の形態について図面を参照しつつ詳細に説明する。なお、同一の要素には同一の符号を付し、重複する説明を省略する。図面の寸法比率は、図示の比率に限定されるものではない。また、以下の実施の形態は、本考案を説明するための例示であり、本考案をその実施の形態のみに限定する趣旨ではない。さらに、本考案は、その要旨を逸脱しない限り、さまざまな変形が可能である。
【００１０】
図１は、本考案の一実施形態に係る祝儀又は不祝儀袋の概略図である。なお、ここでは、袋１０の一例として、香典袋などの不祝儀袋を例に説明するが、本考案は不祝儀袋に限定されるものではなく、祝儀袋などにも同様に適用可能である。
【００１１】
本実施例において、袋１０は、外袋１０Ａと中包み１０Ｂとを含んで構成される。また、袋１０は、送り主の氏名などの名称が表示される第１領域１１と、送り主によって指定された金額が表示される第２領域１２とを含む。なお、本実施例では、外袋１０Ａに第１領域１１が設けられ、中包み１０Ｂに第２領域１２が設けられるものとしたが、これに限られるものではなく、袋１０が全体として、第１領域１１と第２領域１２を備えるものであればよい。
【００１２】
図２は、本実施形態に係る祝儀又は不祝儀袋を用いた処理の流れを示すフロー図である。ここでは、処理の一例として、ウェブサイト上で香典等を送る場合について説明する。
【００１３】
まず、仲介者たる冠婚葬祭会社がインターネット上での供物・香典の受注システムを導入する。そして、冠婚葬祭会社の担当者は、管理画面より一件ずつ葬儀や結婚式の情報を登録する。このとき、施主の同意を得て、ウェブサイト上で葬儀や結婚式の情報を公開し、供物・香典・プレゼント・ご祝儀等の受け取りを行えるようにする。このようにして、個々の葬儀や結婚式の情報がウェブサイト上で公開される。
【００１４】
結婚式の参加者や葬儀の弔問者など、ご祝儀や香典の送り主は、結婚式や葬儀が始まる前に、冠婚葬祭会社のウェブサイトから、該当する葬儀や結婚式を特定し、供物・香典・プレゼント・ご祝儀を選択する。香典やご祝儀を送る場合には、金額を指定する（Ｓ２１）。例えば、ウェブサイトの画面上に次のような選択肢が表示され、送り主はご祝儀や香典の金額と、祝儀袋・不祝儀袋の金額を選択する。
・３，０００円＋香典袋・ご祝儀袋１０００円
・５，０００円＋香典袋・ご祝儀袋１０００円・２０００円
・１０，０００円＋香典袋・ご祝儀袋１０００円・２０００円
・２０，０００円＋香典袋・ご祝儀袋１０００円・２０００円・３０００円
・３０，０００円＋香典袋・ご祝儀袋１０００円・２０００円・３０００円
祝儀袋や不祝儀袋は３種類程度の中から選択可能であることが好ましい。
【００１５】
なお、葬儀や結婚式の情報を登録する際、担当者は、葬儀や結婚式ごとに、香典やご祝儀をインターネット経由で受け取るかどうか、香典返しやお祝い返しは何にするかを設定する。
【００１６】
送り主はさらに、送り主の氏名や住所などの情報やその他の必要事項を入力する。冠婚葬祭会社は、送り主が入力した情報を取得し、クレジットカードでの決済を実行する（Ｓ２１）。すなわち、従来の祝儀や不祝儀は、施主や喪主が結婚式や葬儀の参列者等から直接現金を受け取ることを前提としているが、本実施例では、仲介者たる冠婚葬祭会社がカード会社の加盟店となり、インターネット経由で施主や喪主に替わり支払いを受ける。なお、ここでは、クレジット決済の例を示したが、これに限られず、デビットカード、電子マネー、銀行振込等による決済を適用することもできる。
【００１７】
その後、冠婚葬祭会社は、送り主によって指定された袋１０を用意し、送り主の名称を第１領域１１に記入ないし印刷し、送り主によって指定された金額を第２領域１２に記入ないし印刷する。そして、第２領域１２に表示した金額に相当する現金を袋１０に入れる（Ｓ２２）。
【００１８】
そして、式当日に、冠婚葬祭会社は、施主や喪主に対して、袋１０を送り主のかわりにお供えし、お渡しする（Ｓ２３）。
【００１９】
その後、冠婚葬祭会社は、施主へインターネット経由でのご祝儀や香典等の受付状況を報告する。この報告には、インターネット経由での受け取りが完了している関係者リストの提供を含む。また、インターネット経由で受注した香典袋・ご祝儀袋の場合、喪主があらかじめ金額に応じて決めている「お香典返し」「お祝い返し」を自動で冠婚葬祭会社が受注し送り主に送るものとしてもよい。
【００２０】
このように、本実施例では、送り主は、仲介者たる冠婚葬祭会社のウェブサイト上で、祝儀や不祝儀の送り先、金額、袋の種類などを指定し、仲介者との間で決済を行う。仲介者たる冠婚葬祭会社は、送り主から指定された袋に送り主の名称や金額を記入し、指定された金額の現金を入れて、送り主本人に代わり、施主や喪主へ袋１０を手渡すこところまでをサービスとして提供する。
【００２１】
また、本実施例では、例えば、葬儀情報を１件ずつ管理するシステムを新たに設け、実際に行われる葬儀ごとに式場と受注できる供物の出し分けて、インターネット上での決済を導入する。香典は葬祭会社がクレジットカード会社等の加盟店となり、施主にかわり受け取り、式当日には香典袋へ入れ、仏前に供えるところまでをサービスとして提供することができる。喪主・施主に対して葬儀前後に供物香典のネットからの受注を報告し、香典返しについてもフォローする。
【００２２】
なお、本考案は、上記した実施の形態に限定されるものではなく、本考案の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００２３】
例えば、支払い方式について、上記実施例では、インターネットを介したクレジット決済の実施例に基づいて説明したが、それに限られず、例えば、参列者の場合は当日持参するか、請求書到着後に振込を行うものとしてもよい。また、上記実施例では、冠婚葬祭会社が袋１０に現金を入れた上で、喪主・施主に袋１０を渡す実施例について説明したが、これに限られず、冠婚葬祭会社は袋１０に現金を入れずに、複数の送り主の分をまとめて、喪主や施主に直接現金を渡したり、銀行振込してもよい。さらに、送り主の氏名や金額を一覧にまとめたリストを出力して、喪主や施主に渡してもよい。また、上記実施例では、袋１０が外袋１０Ａと中包み１０Ｂとを含んで構成されるものとしたが、これに限られず、１つ又は多数の袋で構成されるものとしてもよい。
【符号の説明】
【００２４】
１０    袋
１０Ａ  外袋
１０Ｂ  中包み
１１    第１領域
１２    第２領域
【図１】
0003196818.tif 000003
【図２】
0003196818.tif 000004
【手続補正書】
【提出日】平成26年12月19日(2014.12.19)
【手続補正１】
【補正対象書類名】実用新案登録請求の範囲
【補正対象項目名】全文
【補正方法】変更
【補正の内容】
【実用新案登録請求の範囲】
【請求項１】
祝儀又は不祝儀の送り主の名称を仲介者が記入するための第１領域と、
前記送り主によって指定された金額に基づく電子決済が前記送り主と前記仲介者との間で行われた後に、前記金額を前記仲介者が記入するための第２領域と、
を備える祝儀又は不祝儀袋。
【請求項２】
前記祝儀又は不祝儀袋は、
前記第１領域が設けられた外袋と、
前記第２領域が設けられた中包みと、
を備えることを特徴とする請求項１記載の祝儀又は不祝儀袋。
【手続補正書】
【提出日】平成27年2月10日(2015.2.10)
【手続補正１】
【補正対象書類名】実用新案登録請求の範囲
【補正対象項目名】全文
【補正方法】変更
【補正の内容】
【実用新案登録請求の範囲】
【請求項１】
祝儀又は不祝儀の送り主の名称を仲介者が記入するための第１領域が設けられた外袋と、
前記送り主によって指定された金額に基づく電子決済が前記送り主と前記仲介者との間で行われた後に、前記金額を前記仲介者が記入するための第２領域が設けられた中包みと、
を備える祝儀又は不祝儀袋。